(57)【要約】【課題】本考案は、きわめて簡単な構造であって製作が容易で、重量物を収納することができる頑丈さを有し、段積み作業に手間が掛かることなく、吊下げ片が損傷し難く、かつ、段積みしたパレットが相互にずれて落下することのない吊下げ可能な段積み式パレットを提供する。【解決手段】アングル部材からなる下部枠体、上部枠体および支柱を主要構成要素とする段積み可能なパレットにおいて、該支柱を該下部枠体より下方に延伸して脚部と成し、該脚部の頂部に斜辺を具える吊下げ片を該上部枠体の四隅に４５°の角度をもって立設し、同様に構成された第１の段積み式パレットに対して第２の段積み式パレットの脚部を該吊下げ具の斜辺をガイドにして位置決めし、段済み可能な構成とした。【選択図】図１
0003125092.tif 000002
【実用新案登録請求の範囲】
【請求項１】
方形の床パネルの外縁部を支持するとともに方形の壁パネルの下縁部を支持する断面Ｌ字の部材の下部枠体と、
前記下部枠体の四隅から立設され前記壁パネルの両側縁部を支持する断面Ｌ字の部材の支柱と、
前記壁パネルの上縁部を支持するとともに前記支柱に支持される断面Ｌ字の部材の上部枠体と、
前記支柱のＬ字の挟角が９０°となる面側が前記下部枠体および前記上部枠体の隅部に固着されて該支柱が該下部枠体の下方に延伸して形成される脚部と、
前記上部枠体の四隅から立設される前記段積み式パレットを吊下げるための吊下げ孔を有する吊下げ片と、からなり、
第１の段積み式パレットの前記吊下げ片の外側に該第１の段積み式パレットと同一に構成された第２の段積み式パレットの前記脚部の内面が当接して該第１の段積み式パレットに対して該第２の段積み式パレットが位置決めされて段積みされる、ことを特徴とする吊下げ可能な段積み式パレット。
【請求項２】
前記下部枠体はＬ字の挟角が２７０°となる２つの面を外側および下側に向けて矩形に形成され、
前記上部枠体はＬ字の挟角が２７０°となる２つの面を外側および上側に向けて矩形に形成され、
前記床パネルは前記下部枠体の下側に向けたＬ字の面に固着され、
前記壁パネルは前記下部枠体と前記上部枠体の外側に向けたＬ字の面に固着され、
前記吊下げ片は側面視において一辺が上方に向けて後退する斜辺を有する略逆Ｕ字の平板からなり、該吊下げ片の該斜辺を外側に向け底辺を平面視において前記上部枠体の四隅に略４５°の角度で立設され、
前記脚部の内面に前記吊下げ片の前記斜辺の付け根部が当接して前記第１の段積み式パレットに対して前記第２の段積み式パレットが位置決めされて段積みされる、ことを特徴とする請求項１に記載の吊下げ可能な段積み式パレット。
【請求項３】
前記吊下げ片の底辺は前記上部枠体を貫通して下方に延伸しまたは前記上部枠体を介して下方に延伸して前記支柱の隅角部に固着されている、ことを特徴とする請求項２に記載の吊下げ可能な段積み式パレット。
【考案の詳細な説明】
【技術分野】
【０００１】
本考案は、造船所のヤードなどで使用される重量物収納用であってクレーン等で吊下げ可能な段積み式パレットに関する。
【背景技術】
【０００２】
金物、治具・工具、パッキン、ボルト・ナットなどを収納するために広く使われているパレットは、設置場所を拡げないように段積みして使用されることが多い。このパレットの段積みに際しては、段積みしたパレットが相互にずれて落下することを防止する必要がある。
【０００３】
このパレットのずれ落ち防止に関する先行技術として、実開平６−３００３２号公報に開示のパレットがある。このパレットは、その名称を「ボックスパレットにおける積重ね時の脚ずれ落ち防止装置」とし、「形成作業が楽であり、しかも信頼性の高いボックスパレットにおける積重ね時の脚ずれ落ち防止装置を提供する。」ことを目的としたものである。
【０００４】
このパレットの構成の概要を図５に基づいて説明する。なお、図５は、実開平６−３００３２号公報に開示のパレットの実施例図であり、図５（ａ）は、ボックスパレットを示す正面図、図５（ｂ）は、ボックスパレットの積重ね状態を示す要部斜視図である。
「ボックスパレット１０１は、底部１０３の上面四辺に、溶接金網製の前後両壁１０２、１０２′および左右両側壁１０４、１０５を設け、底部１０３の下面四隅に、積重ねられたさい下位の左右両側壁１０４、１０５の上縁に嵌め被せられる凹陥部１０６を有する脚１０７を設け、前壁１０２を上下両半体１０２ａ、１０２ｂに二分するとともに、上半体１０２ａを下半体１０２ｂに折畳み自在に連結しかつ左右両側壁１０４、１０５に止具により取外し自在に止めてなる。このボックスパレット１０１の左右両側壁１０４、１０５の上縁に沿う外側面に、鉄線の前端寄りを逆Ｕ形に折曲げてなり同折曲部をストッパ１０８となすストッパ構成部材１０９をそれぞれ取付けて、ボックスパレット１０１、１０１′を積重ねたさい上位のボックスパレット１０１′の前側の脚１０７と下位のボックスパレット１０１の左右両側壁１０４、１０５の上縁前端との間にストッパ１０８が介在するようにする」構成としたものである。
【０００５】
ところで、造船所のヤードなどで使用されるパレットは、鋼材、パイプ（短管）、溶接機および給電ケーブル、ケーブルドラムなどの重量物を収納する上、積重ねたパレットをフォークリフトでそのまま移動したり、大型クレーンを用いて吊下げ移動したりするため、頑丈で変形の無いパレットが求められている。この意味で、実開平６−３００３２号公報に開示のパレットは、頑丈さに欠け、考案を特徴付ける脚１０７も変形し易く複雑な構造となっている。
【０００６】
ここで、従来から出願人が造船所のヤードで使用している２例のパレット（この２例のパレットを以下、「従来例１」および「従来例２」という。）について、図３および図４を基に説明する。なお、図３は、従来例１に係る段積み式パレットの全体図であり、図３（ａ）は、従来例１に係る段積み式パレットの平面図、図３（ｂ）は、従来例１に係る段積み式パレットの段積み時の正面図である。また、図４は、従来例２に係る段積み式パレットの全体図であり、図４（ａ）は、従来例２に係る段積み式パレットの平面図、図４（ｂ）は、従来例２に係る段積み式パレットの段積み時の正面図である。
【０００７】
まず、従来例１について説明する。
図３に示すように、従来例１に係る段積み式パレット３は、主に、方形の床パネル１３を支持する下部枠体１１と、下部枠体１１と同形に形成された上部枠体２１と、下部枠体１１と上部枠体２１とを連結する４つの支柱３３と、から構成されていて、支柱３３、３３間には壁パネル３７が嵌着されている。そして、床パネル１３と４つの壁パネル３７により上部が開放された鋼材やパイプ等を収納する収納部が形成されている。
【０００８】
下部枠体１１および上部枠体２１は断面がＬ字のアングル部材で構成されている。そして、下部枠体１１は、Ｌ字の挟角が２７０°となる２つの面を下方および段積み式パレット３の外側に向けて平面視において方形に形成され、下部枠体１１と同一に形成された上部枠体２１は、下部枠体１１を裏返した状態で４つの支柱３３により、下部枠体１１に対し所定の離間距離をもって固定されている。
【０００９】
４つの支柱３３は、中空の円筒部材からなる支柱本体３３１と、支柱本体３３１下端部に固着された円筒の脚部３３２と、支柱本体３３１の上部が上部枠体２１の表面よりも突出した突出部３３３と、から構成されている。そして、脚部３３２は、支柱本体３３１よりも大きい円筒であって、支柱本体３３１と同一断面を有する円筒の突出部３３３を脚部３３２に挿入することができるようになっている。
【００１０】
そして、上部枠体２１上の上部枠体２１と突出部３３３のそれぞれの交差部には、側面視が略矩形の平板の吊下げ片２５が固着されていて、吊下げ片２５には吊下げ孔２８が穿設されている。
なお、床パネル１３および壁パネル３７は、網目状のものや、平板状のものがあり、用途に応じて使い分けられる。
【００１１】
上記の構成を有する段積み式パレット３は、たとえば、第１の段積み式パレット３に第２の段積み式パレット３′をフォークリフトで段積みするときには、第２の段積み式パレット３′の下部枠体１１の下にフォークリフトのフォークを挿入し、第２の段積み式パレット３′を略水平な状態に保って揚重し、第１の段積み式パレット３の４つの突出部３３３に第２の段積み式パレット３′の４つの脚部３３２を嵌合させて第１の段積み式パレット３上に段積みする。
【００１２】
つぎに、従来例２について図４を基に説明する。
従来例２に係る段積み式パレット５は、段積み式パレット３と略同様に構成されていて、相違する点は、支柱３４にあるので、ここでは、主に、相違する支柱３４について説明する。
【００１３】
段積み式パレット５は、段積み式パレット３と同様に、方形の床パネル１３を支持する下部枠体１１と、下部枠体１１と同形に形成された上部枠体２１と、下部枠体１１と上部枠体２１とを連結する４つの支柱３４と、から構成されていて、支柱３４、３４間には壁パネル３７が嵌着されている。
支柱３４は、断面がＬ字のアングル部材で構成されていて、Ｌ字の挟角が９０°となる面側が積み式パレット５の収納部側に向けられ、下部枠体１１の隅部に固着されている。そして、支柱３４は、下部枠体１１と上部枠体２１間の支柱本体３４１が下部枠体１１よりも下方に延伸して脚部３４２が形成され、支柱３４の上端部に位置する上部枠体２１の隅角部には、支柱本体３４１の断面よりも大きな矩形の載置板３４３が固着されている。
【００１４】
そして、平面視において上部枠体２１を構成する４つの部材の内平行する一対の部材の延長上、かつ、支柱本体３４１の上部には、側面視が略矩形の平板の吊下げ片２６が突設されていて、吊下げ片２６には吊下げ孔２８が穿設されている。
【００１５】
上記の構成を有する段積み式パレット５は、たとえば、第１の段積み式パレット５に第２の段積み式パレット５′をフォークリフトで段積みするときには、第２の段積み式パレット５′の下部枠体１１の下にフォークリフトのフォークを挿入し、第２の段積み式パレット５′を略水平な状態に保って揚重し、第１の段積み式パレット５の４つの載置板３４３に、第２の段積み式パレット５′の４つの脚部３４２を載置させて第１の段積み式パレット５上に段積みする。
【特許文献１】実開平６−３００３２号公報
【考案の開示】
【考案が解決しようとする課題】
【００１６】
しかしながら、従来例１では、第１の段積み式パレット３に対する第２の段積み式パレット３′の段積み作業に際して、第２の段積み式パレット３′を水平な状態に保ちながら、第１の段積み式パレット３の４つの突出部３３３に第２の段積み式パレット３の４つの脚部３３２を同時に嵌合させなければならず、段積み作業に手間が掛かる。また、従来例２では、第１の段積み式パレット５に対する第２の段積み式パレット５′の段積み作業に際して、第２の段積み式パレット５を水平な状態に保ちながら、第１の段積み式パレット５の４つの載置板３４３の中心部と第２の段積み式パレット５′の４つの脚部３４２に中心部を一致させるようを載置させなければならず、段積み作業に手間が掛かるとともに、載置板３４３から脚部３４２が外れ易い上、吊下げ片２６が外側に向けて突設されているため吊下げ片が損傷し易い、という問題点があった。
【００１７】
さらに、従来例１および従来例２の段積み式パレットの主要構成要素である下部枠体、上部枠体および支柱には、アングル部材以外に円筒部材（従来例１の場合）や平板（従来例２の場合）を使用するなど、その構造は比較的簡単ではあるものの、作製にはある程度の手間が掛かる。
【００１８】
そこで、本考案は、きわめて簡単な構造であって製作が容易で、重量物を収納することができる頑丈さを有し、段積み作業に手間が掛かることなく、吊下げ片が損傷し難く、かつ、段積みしたパレットが相互にずれて落下することのない吊下げ可能な段積み式パレットを提供する。
【課題を解決するための手段】
【００１９】
上記課題を解決するために、本願請求項１に係る吊下げ可能な段積み式パレットは、方形の床パネルの外縁部を支持するとともに方形の壁パネルの下縁部を支持する断面Ｌ字の部材の下部枠体と、前記下部枠体の四隅から立設され前記壁パネルの両側縁部を支持する断面Ｌ字の部材の支柱と、前記壁パネルの上縁部を支持するとともに前記支柱に支持される断面Ｌ字の部材の上部枠体と、前記支柱のＬ字の挟角が９０°となる面側が前記下部枠体および前記上部枠体の隅部に固着されて該支柱が該下部枠体の下方に延伸して形成される脚部と、前記上部枠体の四隅から立設される前記段積み式パレットを吊下げるための吊下げ孔を有する吊下げ片と、からなり、第１の段積み式パレットの前記吊下げ片の外側に該第１の段積み式パレットと同一に構成された第２の段積み式パレットの前記脚部の内面が当接して該第１の段積み式パレットに対して該第２の段積み式パレットが位置決めされて段積みされる、ことを特徴としている。
なお、「Ｌ字の挟角が９０°となる面側」とは、断面Ｌ字の部材の２つ面の互いに９０°に向き合う面側をいう。また、「吊下げ片の外側」とは、床パネルと４つの壁パネルで囲繞されたパレットの筐体の外側に対応する吊下げ片の側をいい、「脚部の内面」とは、パレットの筐体に面する脚部の面をいう。
【００２０】
また、本願請求項２に係る吊下げ可能な段積み式パレットは、請求項１に記載の吊下げ可能な段積み式パレットであって、前記下部枠体はＬ字の挟角が２７０°となる２つの面を外側および下側に向けて矩形に形成され、前記上部枠体はＬ字の挟角が２７０°となる２つの面を外側および上側に向けて矩形に形成され、前記床パネルは前記下部枠体の下側に向けたＬ字の面に固着され、前記壁パネルは前記下部枠体と前記上部枠体の外側に向けたＬ字の面に固着され、前記吊下げ片は側面視において一辺が上方に向けて後退する斜辺を有する略逆Ｕ字の平板からなり、該吊下げ片の該斜辺を外側に向け底辺を平面視において前記上部枠体の四隅に略４５°の角度で立設され、前記脚部の内面に前記吊下げ片の前記斜辺の付け根部が当接して前記第１の段積み式パレットに対して前記第２の段積み式パレットが位置決めされて段積みされる、ことを特徴としている。
なお、「Ｌ字の挟角が２７０°となる２つの面」とは、前述したＬ字の挟角が９０°となる面とは反対側の面をいい、「２つの面を外側および下側に向ける」の外側とは、パレットの筐体とは反対の側をいい、下側とはパレットを地上等に載置したときの下方向の側をいう。また、略逆Ｕ字状には、逆Ｕ字形以外に、三角形、逆Ｖ字形、逆レ字形などの先端部が尖ったものや半円状のものであって、少なくとも上方に向けて直線的にあるいは曲線的に後退する一辺を有するものを含む。
【００２１】
そして、本願請求項３に係る吊下げ可能な段積み式パレットは、請求項２に記載の吊下げ可能な段積み式パレットであって、前記吊下げ片の底辺は前記上部枠体を貫通して下方に延伸しまたは前記上部枠体を介して下方に延伸して前記支柱の隅角部に固着されている、ことを特徴としている。
なお、「上部枠体を貫通して下方に延伸し」および「上部枠体を介して下方に延伸し」には、吊下げ片と一体となった部材のほか、別体となった部材を含む。
【考案の効果】
【００２２】
本願請求項１に係る考案によれば、吊下げ可能な段積み式パレットは、断面Ｌ字の部材からなる下部枠体と、上部枠体と、下部枠体と上部枠体とを連結する支柱と、から構成されているので、これら枠体と支柱の剛性を高くすることにより、重量物を収納することができる頑丈さを有するようにすることができるとともに、段積み式パレットの主要構成要素である下部枠体、上部枠体および支柱は、断面Ｌ字の部材のみが使用されているため、構造は比較的簡単である上に、製作が容易である。
また、上部枠体の四隅に吊下げ孔を有する吊下げ片が立設されるため、段積み式パレットを水平に吊下げることが可能であり、段積み式パレットを水平な状態に保って揚重することは、収納物の重心の位置に係わらず、きわめて簡単に行うことができる。さらに、吊下げ片は筐体の外側に突設されていないので吊下げ片の損傷を少なくすることができる。そして、脚部の内面が吊下げ片の外側に当接して第１の段積み式パレットに対する第２の段積み式パレットの位置が決められるので、位置決めが容易であり、段積み作業に手間が掛かることがない。
【００２３】
また、本願請求項２に係る考案によれば、下部枠体はＬ字の挟角が２７０°となる２つの面を外側および下側に向けて形成され、上部枠体はＬ字の挟角が２７０°となる２つの面を外側および上側に向けて形成されていて、床パネルは下部枠体の下側に向けたＬ字の面に固着され、壁パネルは前記下部枠体と前記上部枠体の外側に向けたＬ字の面に固着されているので、床パネルと４つの壁パネルで形成される筐体の収納可能な容積は、段積み式パレットの外外寸法に略一致して最大となる。
また、脚部を構成する断面Ｌ字の部材の直角に対面する面側が段積み式パレットの内側に向き、斜辺を有する吊下げ片が斜辺を外側に向けて上部枠体の四隅に対し略４５°の角度で立設されているため、第１の段積み式パレットに対する第２の段積み式パレットの積重ねの際に、吊下げ片の斜辺に当接した脚部は吊下げ片の斜辺に沿って下降することになるから、第１の段積み式パレットに対する第２の段積み式パレットの段積み作業に手間が掛かることがなく、かつ、段積みした段積み式パレットが相互にずれて落下することがなく、段積み式パレットを段積みしたときや段積みした段積み式パレットの移動時の安定性に優れている。
さらに、床パネルと４つの壁パネルで形成される筐体の外側には突起物や突設物がないため、段積み式パレットの格納・収納スペースを最小限に抑えることができる。
【００２４】
そして、本願請求項３に係る発明によれば、吊下げ片の底辺は上部枠体を貫通して下方に延伸しまたは上部枠体を介して下方に延伸して支柱の隅角部に固着されているため、重量物を収納した段積み式パレットを吊下げても、支柱を介して段積み式パレットを吊下げることになるので、たとえば、上部枠体などが変形することはなく、重量物を収納することができる頑丈さを有することになる。
【考案を実施するための最良の形態】
【００２５】
本願考案を実施するための最良の形態に係る実施例について、図１および図２に基づいて説明する。なお、図１は、実施例に係る段積み式パレットの全体図であり、図１（ａ）は、実施例に係る段積み式パレットの平面図、図１（ｂ）は、実施例に係る段積み式パレットの正面図である。そして、図２は、実施例に係る段積み式パレットの段積み状況説明図である。
【００２６】
図１および図２において、符号１は実施例に係る第１の段積み式パレット、符号１′は実施例に係る第２の段積み式パレット、符号１１は下部枠体、符号１３は床パネル、符号２１は上部枠体、符号２３は吊下げ片、符号２３１は吊下げ片上部、符号２３２は吊下げ片下部、符号２３３は斜辺、符号２３４は切り込み部、符号２８は吊下げ孔、符号３１は支柱、符号３１１は支柱本体、符号３１２は脚部、符号３７は壁パネル、である。なお、図３および図４を基に説明した従来例１および従来例２と同一に構成された要素については、同一の符号を付している。また、段積み式パレットの構成の説明においては、第１の段積み式パレット１および第２の段積み式パレット１′を総称して、単に「段積み式パレット１」という。
【００２７】
図１に示すように、実施例に係る段積み式パレット１は、主に、方形の床パネル１３を支持する下部枠体１１と、下部枠体１１と同形に形成された上部枠体２１と、下部枠体１１と上部枠体２１とを連結する４つの支柱３１と、から構成されていて、支柱３１、３１間には壁パネル３７が嵌着されている。そして、床パネル１３と４つの壁パネル３７により上部が開放された鋼材やパイプ等を収納する収納部が形成されている。
【００２８】
下部枠体１１および上部枠体２１は断面がＬ字の部材であるアングル部材で構成されている。そして、下部枠体１１は、Ｌ字の挟角が２７０°となる２つの面を段積み式パレット１の下側および外側に向けて平面視において方形に形成され、下部枠体１１と同一に形成された上部枠体２１は、Ｌ字の挟角が２７０°となる２つの面を段積み式パレット１の上側および外側に向けて平面視において方形に形成されて、４つの支柱３１により、下部枠体１１に対し所定の離間距離をもって固定されている。
【００２９】
４つの支柱３１は、下部枠体１１および上部枠体２１と同様にアングル部材で構成されていて、アングル部材のＬ字の挟角が９０°となる面側が積み式パレット５の収納部側に向けられ、下部枠体１１の隅部および上部枠体２１の隅部に固着されている。そして、支柱３４は、下部枠体１１と上部枠体２１間の支柱本体３４１が下部枠体１１よりも下方に延伸して脚部３４２が形成されている。
【００３０】
吊下げ片２３は、平板からなっていて、略逆Ｕ字の吊下げ片上部２３１と略直角三角形の吊下げ片下部２３２が一体となって構成され、吊下げ片上部２３１の一方の辺は上方に向けて後退する斜辺となっている。そして、吊下げ片上部２３１の斜辺と吊下げ片下部２３２の挟角を直角とする一つの辺とが同じ側となるようにして吊下げ片２３が形成され、吊下げ片上部２３１と吊下げ片下部２３２との合せ部分には、開放部を吊下げ片上部２３１の斜辺側に向けた切り込み部２３４が形成されている。さらに、吊下げ片上部２３１の略中心部には吊下げ孔２８が穿設されている。
【００３１】
そして、吊下げ片２３は、上部枠体２１の隅部に４５°の角度で切り込み部２３４を上部枠体２１の上側の面材に挿入され、切り込み部２３４と上部枠体２１の上側の面材の当接部および吊下げ片下部２３２と支柱本体３４１の当接部が溶着されることにより固着されている。
【００３２】
次に、上記のように構成された段積み式パレット１の作用効果について、主に図２を基に説明する。
上記の構成を有する第１の段積み式パレット１に第２の段積み式パレット１′をフォークリフトで段積みするときの手順の一例は以下のようになる。
（１）第２の段積み式パレット１′の下部枠体１１の下にフォークリフトのフォークを挿入し、第２の段積み式パレット１′を略水平な状態に保って揚重し、第１の段積み式パレット１の４つの吊下げ片２３の上方に第２の段積み式パレット１′の４つの脚部３１２を位置させる。
（２）第２の段積み式パレット１′をゆっくりと降下させて、少なくとも４つの吊下げ片２３の１つに脚部３１２の内面を当接させる。この状態では、脚部３１２の内面が吊下げ片２３の斜辺２３３に当接している。
（３）さらに、第２の段積み式パレット１′をゆっくりと降下させると、脚部３１２の内面は吊下げ片２３の斜辺２３３に沿って下降して、脚部３１２の内面は吊下げ片２３の上部枠体２１の上側の面材との付け根部分に当接して、第１の段積み式パレット１に対して第２の段積み式パレット１′が位置決めされ段積みされる。
上記手順は、第２の段積み式パレット１′をクレーン等で吊下げて第１の段積み式パレット１上に段積みさせるときも同様である。
【００３３】
なお、第２の段積み式パレット１′をクレーン等で吊下げる場合は、たとえば、４つの吊下げ片２３の吊下げ孔２８とワイヤーロープ（図示外）をシャックルなどの吊下げ用金具（図示外）を介して連結し、ワイヤーロープの先端をクレーン等のフック（図示外）に掛けて吊下げることになる。
この場合、４つの吊下げ片２３には、収納物を含めた第２の段積み式パレット１′の全荷重が作用するが、吊下げ片２３は、上部枠体２１ばかりではなく支柱３４にも固着されている。このため、第２の段積み式パレット１′の全荷重は４つ支柱３４で負担することになるので、第２の段積み式パレット１′の一部が変形することはない。
【図面の簡単な説明】
【００３４】
【図１】図１は、実施例に係る段積み式パレットの全体図であり、図１（ａ）は、実施例に係る段積み式パレットの段積み平面図、図１（ｂ）は、実施例に係る段積み式パレットの段積み時の正面図である。
【図２】図２は、実施例に係る段積み式パレットの段積み状況説明図である。
【図３】図３は、従来例１に係る段積み式パレットの全体図であり、図３（ａ）は、従来例１に係る段積み式パレットの平面図、図３（ｂ）は、従来例１に係る段積み式パレットの段積み時の正面図である。
【図４】図４は、従来例２に係る段積み式パレットの全体図であり、図４（ａ）は、従来例２に係る段積み式パレットの平面図、図４（ｂ）は、従来例２に係る段積み式パレットの段積み時の正面図である。
【図５】図５は、実開平６−３００３２号公報に開示のパレットの実施例図であり、図５（ａ）は、ボックスパレットを示す正面図、図５（ｂ）は、ボックスパレットの積重ね状態を示す要部斜視図である。
【符号の説明】
【００３５】
１  実施例に係る第１の段積み式パレット
１′  実施例に係る第２の段積み式パレット
１１  下部枠体
１３  床パネル
２１  上部枠体
２３  吊下げ片
２８  吊下げ孔
３１  支柱
３１２  脚部
３７  壁パネル
【図１】
0003125092.tif 000003
【図２】
0003125092.tif 000004
【図３】
0003125092.tif 000005
【図４】
0003125092.tif 000006
【図５】
0003125092.tif 000007